(57)【特許請求の範囲】
【請求項１】
アンモニアを還元剤としてエンジンの排気中のＮＯｘを選択還元するアンモニア選択還元型ＮＯｘ触媒と、
上記アンモニア選択還元型ＮＯｘ触媒の上流側の排気通路に取り付けられ、上記排気通路内を上記アンモニア選択還元型ＮＯｘ触媒に向けて流動する排気中に尿素水を噴射する尿素水噴射ノズルと、
断熱材からなり、上記尿素水噴射ノズルのうち、上記排気通路の外側に位置する部分の少なくとも一部をその外側から覆う断熱部材とを備え、
上記尿素水噴射ノズルは、上記尿素水を噴射するノズル本体と、上記排気通路の外側において上記ノズル本体を上記排気通路に固定するためのフランジ部とからなり、
上記排気通路は筒状をなし、その軸線方向に沿う周壁部に、上記排気通路内の排気が上記アンモニア選択還元型ＮＯｘ触媒に向けて流出する排気流出口を備えると共に、
上記排気流出口から、上記排気流出口に対向する上記排気通路の周壁部に向けて延設された筒状の整流体を備え、
上記整流体は、その側壁に排気が通過可能な複数の孔が形成され、端部が上記排気通路の周壁部を貫通して上記周壁部の外側に突出しており、
上記尿素水噴射ノズルは、上記整流体の上記端部側に凹所を形成して上記整流体の内周面に固定された取付座に、上記フランジ部を介して取り付けられ、
上記断熱部材が上記凹所内に挿入されて上記尿素水噴射ノズルの少なくとも上記フランジ部を覆うと共に、上記整流体の上記端部が蓋体により閉塞される
ことを特徴とする排気浄化装置。
【請求項２】
上記尿素水噴射ノズルは、圧縮空気と共に上記尿素水を噴射することを特徴とする請求項１に記載の排気浄化装置。
【発明の詳細な説明】
【技術分野】
【０００１】
本発明はエンジンの排気を浄化する排気浄化装置に関し、特に尿素水から生成されたアンモニアを還元剤として排気中のＮＯｘを選択還元するアンモニア選択還元型ＮＯｘ触媒を備えた排気浄化装置に関する。
【背景技術】
【０００２】
ディーゼルエンジン等のエンジンから排出される排気中には、汚染物質の１つであるＮＯｘ（窒素酸化物）が含まれており、このＮＯｘを還元して排気を浄化するため、エンジンの排気通路にアンモニア選択還元型ＮＯｘ触媒を介装するようにした排気浄化装置が知られている。
アンモニア選択還元型ＮＯｘ触媒を排気浄化装置に用いた場合、還元剤としてアンモニアをアンモニア選択還元型ＮＯｘ触媒に供給するために、アンモニアに比べて取り扱いが容易な尿素水を排気中に供給するのが一般的であり、尿素水噴射ノズルなどを用いて尿素水が排気中に噴射される。尿素水噴射ノズルから排気中に供給された霧状の尿素水は排気の熱により加水分解し、その結果生成されるアンモニアがアンモニア選択還元型ＮＯｘ触媒に供給される。供給されたアンモニアは一旦アンモニア選択還元型ＮＯｘ触媒に吸着され、このアンモニアと排気中のＮＯｘとの間の脱硝反応がＮＯｘ触媒によって促進されることによりＮＯｘが還元されて排気の浄化が行われる。
【０００３】
このようなアンモニアの供給のために使用される尿素水は、溶剤である水分が蒸発した場合に尿素水噴射ノズルなどに固形の尿素結晶が堆積して目詰まりを引き起こす可能性がある。そこで、このような目詰まりの発生を防止するために、尿素水噴射ノズルと排気通路の壁面との間に断熱材を介装して尿素水噴射ノズルの温度が過度に上昇しないようにした排気浄化装置が特許文献１によって提案されている。
【０００４】
また、この特許文献１の排気浄化装置では、尿素水噴射ノズルに尿素水を供給するための配管のように排気熱の影響を受けにくい部分については、必要に応じて電気ヒータで過熱することにより、尿素の溶融を促すようにして、尿素水噴射ノズルの目詰まりを防止するようにしている。
【特許文献１】特開２００５−１２７３１８号公報
【発明の開示】
【発明が解決しようとする課題】
【０００５】
尿素水の噴射は、尿素水のみを排気中に噴射するエアレスタイプと、圧縮空気と共に尿素水を噴射するエアアシストタイプとがあるが、特に後者の場合には尿素水噴射ノズルの内部を尿素水が流通することで尿素水噴射ノズルが冷却されやすいのに加え、噴射された尿素水が圧縮空気によって気化しやすいために尿素水噴射ノズルの先端部分がより一層冷却されやすくなる。尿素水噴射ノズルの温度が過度に低下してしまうと、尿素水噴射ノズルに尿素水が付着しやすくなり、付着した尿素水の尿素が結晶化して尿素水噴射ノズルに目詰まりを生じてしまうという問題がある。特に上記特許文献１の場合には、排気の熱が尿素水噴射ノズルに伝達されにくくなるようにしているため、このような温度低下による目詰まりが発生しやすいという問題がある。
【０００６】
尿素結晶の堆積を防止するため、排気温度が低い場合には尿素水供給を禁止するのが一般的であるが、このように尿素結晶が堆積しやすい場合には、尿素水供給を禁止する排気温度領域を拡大しなければならず、その分だけ排気中のＮＯｘを良好に還元することができなくなり、排気浄化性能が低下するという問題が生じる。
また、上記特許文献１の排気浄化装置では、電気ヒータにより尿素水噴射ノズルの温度低下を防止することも提案されているが、この場合には電気ヒータで消費されたエネルギを補充するためにエンジン出力の一部が使用されるため、エンジンの燃費が悪化するという問題が生じる。
【０００７】
本発明はこのような課題に鑑みてなされたものであり、その目的とするところは、尿素水噴射ノズルの温度低下に伴う目詰まりの発生を良好に防止することができるようにした排気浄化装置を提供することにある。
【課題を解決するための手段】
【０００８】
上記目的を達成するため、本発明の排気浄化装置は、アンモニアを還元剤としてエンジンの排気中のＮＯｘを選択還元するアンモニア選択還元型ＮＯｘ触媒と、上記アンモニア選択還元型ＮＯｘ触媒の上流側の排気通路に取り付けられ、上記排気通路内を上記アンモニア選択還元型ＮＯｘ触媒に向けて流動する排気中に尿素水を噴射する尿素水噴射ノズルと、断熱材からなり、上記尿素水噴射ノズルのうち、上記排気通路の外側に位置する部分の少なくとも一部をその外側から覆う断熱部材とを備え、上記尿素水噴射ノズルは、上記尿素水を噴射するノズル本体と、上記排気通路の外側において上記ノズル本体を上記排気通路に固定するためのフランジ部とからなり、上記排気通路は筒状をなし、その軸線方向に沿う周壁部に、上記排気通路内の排気が上記アンモニア選択還元型ＮＯｘ触媒に向けて流出する排気流出口を備えると共に、上記排気流出口から、上記排気流出口に対向する上記排気通路の周壁部に向けて延設された筒状の整流体を備え、上記整流体は、その側壁に排気が通過可能な複数の孔が形成され、端部が上記排気通路の周壁部を貫通して上記周壁部の外側に突出しており、上記尿素水噴射ノズルは、上記整流体の上記端部側に凹所を形成して上記整流体の内周面に固定された取付座に、上記フランジ部を介して取り付けられ、上記断熱部材が上記凹所内に挿入されて上記尿素水噴射ノズルの少なくとも上記フランジ部を覆うと共に、上記整流体の上記端部が蓋体により閉塞されることを特徴とする（請求項１）。
【０００９】
このように構成された排気浄化装置によれば、尿素水噴射ノズルから噴射された尿素水は排気の熱により加水分解してアンモニアが生成され、このアンモニアが排気と共にアンモニア選択還元型ＮＯｘ触媒に流入する。アンモニア選択還元型ＮＯｘ触媒では、排気中のアンモニアを還元剤として排気中のＮＯｘが選択還元されることにより排気が浄化される。
【００１０】
尿素水噴射ノズルはアンモニア選択還元型ＮＯｘ触媒の上流側の排気通路に取り付けられており、尿素水噴射ノズルのうち排気通路の外側に位置する部分の少なくとも一部は、断熱材からなる断熱部材によってその外側から覆われている。このため、尿素水噴射ノズルのうちの排気通路の外側に位置する部分からの放熱が抑制される。
【００１１】
また、排気通路の外側において尿素水噴射ノズルがフランジ部を介して排気通路に取り付けられ、このフランジ部が、断熱部材によって覆われているので、フランジ部からの放熱が断熱部材によって抑制される。
より具体的には、筒状をなす排気通路の軸線方向に沿う周壁部に排気流出口が設けられており、排気通路内の排気は、この排気流出口から延設された筒状の整流体の側壁に形成されている複数の孔を通過した後、排気流出口からアンモニア選択還元型ＮＯｘ触媒に向けて流出する。整流体の端部は排気通路の周壁部を貫通して排気通路の外側に突出しており、整流体の内周面には整流体の端部側に凹所を形成するように取付座が固定されている。尿素水噴射ノズルは、この取付座にフランジ部を介して排気通路に装着されており、更に断熱部材が上記凹所内に挿入されて尿素水噴射ノズルの少なくともフランジ部を覆うと共に、整流体の端部が蓋体により閉塞される。
また、上記排気浄化装置において、上記尿素水噴射ノズルは、圧縮空気と共に上記尿素水を噴射することを特徴とする（請求項２）。
【００１２】
このように構成された排気浄化装置によれば、尿素水噴射ノズルは圧縮空気と共に尿素水を噴射する。
【発明の効果】
【００１４】
本発明の排気浄化装置によれば、尿素水噴射ノズルのうち排気通路の外側に位置する部分の少なくとも一部を、断熱材からなる断熱部材でその外側から覆うことにより、尿素水噴射ノズルのうちの排気通路の外側に位置する部分からの放熱が抑制される。従って、尿素水噴射ノズルの冷却によって生じる尿素結晶の堆積を防止することが可能となる。この結果、尿素結晶の堆積による目詰まりの発生を防止することができると共に、尿素水の供給を可能とする排気温度領域を拡大することが可能となり、ＮＯｘの還元による排気浄化性能を向上することができる。
【００１５】
本発明では特に、尿素水噴射ノズルを排気通路に取り付けるためのフランジ部が断熱部材によって覆われている。フランジ部は放熱体となって尿素水噴射ノズルからの放熱を促進するものであるため、このようにしてフランジ部を断熱部材で覆うことにより、尿素水噴射ノズルからの放熱抑制効果が大きい。従って、尿素水噴射ノズルの温度低下を効果的に抑制して尿素結晶の堆積による目詰まりの発生を防止することができる。
より具体的には、排気通路の外方に突出した整流体の端部側に凹所を形成するように整流体の内周面に固定された取付座を設け、この取付座にフランジ部を介して尿素水噴射ノズルを取り付け、更に断熱部材を上記凹所内に挿入して尿素水噴射ノズルの少なくともフランジ部を覆い、整流体の端部を蓋体により閉塞するようにしている。従って、断熱部材によって覆われる尿素水噴射ノズルの部分は、排気通路の外側ではあるものの、整流体の内側に位置しており、更に断熱部材で覆った後で蓋体により整流体の端部が閉塞されているので、整流体の内部を流動する排気からの熱伝達を受けやすくなると共に断熱部材によって放熱が抑制される。この結果、より一層効果的に尿素水噴射ノズルの温度低下を抑制することができる。
【００１６】
また、請求項２の排気浄化装置によれば、尿素水噴射ノズルは圧縮空気と共に尿素水を噴射するが、このような場合には圧縮空気によって尿素水の気化が促進され、尿素水噴射ノズルがより一層冷却されるため、断熱部材により尿素水噴射ノズルからの放熱を抑制することは、尿素水噴射ノズルの冷却に起因する尿素結晶の堆積を防止する上で特に有効である。
【発明を実施するための最良の形態】
【００１８】
以下、図面に基づき本発明の一実施形態について説明する。
図１は、本発明の一実施形態に係る排気浄化装置が適用された４気筒のディーゼルエンジン（以下、エンジンという）の全体構成図を示しており、図１に基づき本発明に係る排気浄化装置の構成を説明する。
エンジン１は各気筒共通の高圧蓄圧室（以下コモンレールという）２を備えており、図示しない燃料噴射ポンプから供給されてコモンレール２に蓄えられた高圧の燃料を、各気筒に設けられたインジェクタ４に供給し、各インジェクタ４からそれぞれの気筒内に燃料が噴射される。
【００１９】
吸気通路６にはターボチャージャ８が装備されており、図示しないエアクリーナから吸入された吸気は、吸気通路６からターボチャージャ８のコンプレッサ８ａへと流入し、コンプレッサ８ａで過給された吸気はインタークーラ１０及び吸気制御弁１２を介して吸気マニホールド１４に導入される。また、吸気通路６のコンプレッサ８ａより上流側には、エンジン１への吸入空気流量を検出するための吸気量センサ１６が設けられている。
【００２０】
一方、エンジン１の各気筒から排気が排出される排気ポート（図示せず）は、排気マニホールド１８を介して排気管２０に接続されている。なお、排気マニホールド１８と吸気マニホールド１４との間には、ＥＧＲ弁２２を介して排気マニホールド１８と吸気マニホールド１４とを連通するＥＧＲ通路２４が設けられている。
排気管２０はターボチャージャ８のタービン８ｂを経た後、排気絞り弁２６を介して排気後処理装置２８に接続されている。また、タービン８ｂの回転軸はコンプレッサ８ａの回転軸と連結されており、タービン８ｂが排気管２０内を流動する排気を受けてコンプレッサ８ａを駆動するようになっている。
【００２１】
排気後処理装置２８は、上流側ケーシング３０と、上流側ケーシング３０の下流側に連通路３２で連通された下流側ケーシング３４とで構成される。また、上流側ケーシング３０は第１ケーシング３０ａ、第２ケーシング３０ｂ及び第３ケーシング３０ｃの３つに分割されており、ボルト及びナットを介して連結されることにより上流側ケーシング３０を構成しており、本実施形態では、これら上流側ケーシング３０、連通路３２及び下流側ケーシング３４によって本発明の排気通路が形成されている。
【００２２】
第１ケーシング３０ａは排気管２０に接続されており、この第１ケーシング３０ａ内には前段酸化触媒３６が収容されている。そして、第１ケーシング３０ａの下流側に位置する第２ケーシング３０ｂ内には、パティキュレートフィルタ（以下フィルタという）３８が収容されている。
このフィルタ３８は、ハニカム型のセラミック体からなり、上流側と下流側とを連通する通路が多数並設されると共に、通路の上流側開口と下流側開口とが交互に閉鎖されており、エンジン１の排気が内部を流通することによって排気中のパティキュレートを捕集する。一方、前段酸化触媒３６は排気中のＮＯを酸化させてＮＯ２を生成するので、このように前段酸化触媒３６とフィルタ３８とを配置することにより、フィルタ３８に捕集され堆積しているパティキュレートは、前段酸化触媒３６から供給されたＮＯ２と反応して酸化し、フィルタ３８の連続再生が行われるようになっている。
【００２３】
また、第２ケーシング３０ｂの下流側に位置する第３ケーシング３０ｃには連通路３４が接続されており、連通路３４の接続部分に対向する位置には、フィルタ３８から流出して連通路３４へと流動する排気中に尿素水を噴射するための尿素水噴射ノズル４０が装着されている。
尿素水タンク（図示せず）から供給される尿素水と、エアタンク（図示せず）から供給される圧縮空気とは、尿素水噴射装置４２に供給されて混合され、尿素水は霧状となって圧縮空気中に含まれ、尿素水供給管４４を介して尿素水噴射ノズル４０に供給される。尿素水噴射ノズル４０に供給される尿素水及び圧縮空気の量は尿素水噴射装置４２によって調整され、尿素水噴射ノズル４０に供給された尿素水は、圧縮空気と共に排気中に噴射される。排気中に噴射された尿素水は排気の熱によって加水分解し、アンモニアが生成される。
【００２４】
一方、下流側ケーシング３４内には、上述のようにして生成された排気中のアンモニアを吸着し、吸着したアンモニアを還元剤として排気中のＮＯｘを選択還元するアンモニア選択還元型ＮＯｘ触媒（以下ＳＣＲ触媒という）４６が収容されると共に、このＳＣＲ触媒４６の下流側にはＳＣＲ触媒４６から流出したアンモニアを除去するための後段酸化触媒４８が収容されている。この後段酸化触媒４８は、フィルタ３８の強制再生でパティキュレートが焼却される際に発生するＣＯを酸化し、ＣＯ２として大気中に排出する機能も有している。
【００２５】
排気後処理装置２８をこのように構成することにより、尿素水噴射ノズル４０から噴射された尿素水から生成されたアンモニアはＳＣＲ触媒４６に供給される。ＳＣＲ触媒４６は供給されたアンモニアを吸着し、吸着したアンモニアと排気中のＮＯｘとの脱硝反応を促進することにより、ＮＯｘを浄化して無害なＮ２とする。なお、このときアンモニアがＮＯｘと反応せずにＳＣＲ触媒４６から流出した場合には、このアンモニアが後段酸化触媒４８によって除去されるようになっている。
【００２６】
次に、尿素水噴射ノズル４０の取付構造ついて、図２に基づき詳細に説明する。
図２は、図１中のII−II線に沿う第３ケーシング３０ｃの要部断面図である。図２に示すように、第３ケーシング３０ｃには外殻５０と内殻５２との間に断熱材５４を介装した断熱構造が採用されている。
第３ケーシング３０ｃの軸線方向に沿う周壁部５６には、フィルタ３８を通過した排気が連通路３２に向けて流出する排気流出口５８が設けられている。第３ケーシング３０ｃの外側に位置する排気流出口５８の一方の端部は連通路３２に接続されており、排気流出口５８の他方の端部には、排気流出口５８に連続して設けられた円筒状の整流体６０が、排気流出口５８に対向する周壁部５６まで第３ケーシング３０ｃを横断するように延設されている。整流体６０の側壁には、整流体６０の外側と内側とを連通する多数の孔が形成されており、整流体６０は周壁部５６を貫通して端部６０ａが第３ケーシング３０ｃの外側に突出している。
【００２７】
整流体６０の端部６０ａ側の内周面には、周壁部５６にほぼ対応した位置に取付座６２が溶接されており、尿素水噴射ノズル４０のノズル本体４０ａが取付座６２の中央部分に形成された取付孔内に挿入され、尿素水噴射ノズル４０のフランジ部４０ｂがボルト６４及びナット６６を介して取付座６２に固定されることにより、尿素水噴射ノズル４０が第３ケーシング３０ｃに装着されるようになっている。
【００２８】
このようにして尿素水噴射ノズル４０を第３ケーシング３０ｃに装着することにより、尿素水噴射ノズル４０は排気流出口５８に対向して配置される。そして、ノズル本体４０ａの端部に設けられた噴射孔（図示せず）が整流体６０内に位置した状態で、第３ケーシング３０ｃによって形成される排気通路内にノズル本体４０ａが部分的に露出しており、尿素水は尿素水噴射ノズル４０の噴射孔から排気流出口５８の方向に向けて噴射されるようになっている。
【００２９】
図２に示すように、整流体６０の端部６０ａが第３ケーシング３０ｃから突出すると共に取付座６２が第３ケーシング３０ｃの周壁部５６に対応する位置にあるので、取付座６２が整流体６０の端部６０ａから幾分内側に位置することになり、このように取付座６２を設けることによって、整流体６０の端部には凹所が形成される。そして、尿素水噴射ノズル４０を取付座６２に固定した後、この凹所内にセラミック製の断熱材からなる断熱部材６８を挿入し、ボルト７０及びナット７２を介して蓋体７４を整流体６０の端部６０ａに取り付け、整流体６０の端部６０ａを閉塞する。このようにすることにより、第３ケーシング３０ｃによって形成される排気通路の外側に位置する尿素水噴射ノズル４０のフランジ部４０ｂと、ノズル本体４０ａの一部が断熱部材６８によって覆われた状態となる。なお、断熱部材６８には、ボルト６４との干渉を避けるための窪みが各ボルト６４に対応して形成されている。
【００３０】
フィルタ３８を通過した排気は第３ケーシング３０ｃへと流動し、整流体６０に形成された多数の孔を介して整流体６０内に流入した後、排気流出口５８を介して連通路３２に流入し、更に下流側ケーシング３４内に流入する。こうして排気が整流体６０内から連通路３２内へと流動する間に尿素水噴射ノズル４０から尿素水の噴射が行われると、噴射された尿素水は排気の熱によって加水分解し、アンモニアが生成される。生成されたアンモニアは、下流側ケーシング３４内のＳＣＲ触媒４０に供給され、前述したようにＳＣＲ触媒４０によるＮＯｘの選択還元に還元剤として使用される。
【００３１】
このとき尿素水噴射ノズル４０は、尿素水が内部を流動すると共に、圧縮空気を伴って排気中に噴射された尿素水が気化して熱を奪うことにより、ノズル本体４０ａの温度が低下する。しかし、第３ケーシング３０ｃによって形成された排気通路の外側に位置するノズル本体４０ａの一部やフランジ部４０ｂが断熱部材６８によって外側から覆われているので、ノズル本体４０ａやフランジ部４０ｂからの放熱が抑制される。従って、放熱に伴う尿素水噴射ノズル４０の温度低下を抑制することが可能となり、温度低下に起因する尿素結晶の堆積を防止することができる。特に、放熱体となって尿素水噴射ノズル４０からの放熱を促進しうるフランジ部４０ｂが断熱部材６８によって覆われているので、尿素水噴射ノズル４０の温度低下を効果的に抑制することができる。しかも、断熱部材６８によって覆われる部分は、第３ケーシング３０ｃによって形成される排気通路の外側ではあるものの、整流体６０の内側に位置しており、更に断熱部材６８で覆った後で蓋体７４により整流体６０の端部６０ａを閉塞されているので、整流体６０の内部を流動する排気からの熱伝達を受けやすくなると共に断熱部材６８によって放熱が抑制される。この結果、より一層効果的に尿素水噴射ノズル４０の温度低下を抑制することができる。
【００３２】
尿素噴射ノズル４０の温度が低い場合の尿素結晶の堆積を防止するため、尿素噴射ノズル４０の温度が低い場合には尿素水の供給を禁止する必要があるが、このようにして尿素噴射ノズル４０の温度低下を抑制することができるので、尿素噴射ノズル４０からの尿素水の供給を可能とする排気温度の領域を拡大することが可能となり、ＳＣＲ触媒４６におけるＮＯｘの還元による排気浄化効率を向上させることができる。
【００３３】
以上で本発明の一実施形態に係る排気浄化装置についての説明を終えるが、本発明は上記実施形態に限定されるものではない。
例えば、上記実施形態では、第３ケーシング３０ｃの外側に位置する尿素水噴射ノズル４０の部分のうち、フランジ部４０ｂと、ノズル本体４０ａの一部を断熱部材６８で覆うようにしたが、第３ケーシング３０ｃの外側に位置する尿素水噴射ノズル４０の部分全体を断熱部材６８で覆うようにしてもよい。
【００３４】
更に、上記実施形態では、蓋体７４と断熱部材６８とを別体としたが、予め断熱部材６８を蓋体７４に固着しておき、蓋体７４により整流体６０の端部６０ａを閉塞する際に、同時に断熱部材６８でフランジ部４０ｂと、ノズル本体４０ａの一部を覆うようにしてもよい。或いは、蓋体７４も断熱部材６８と同じ断熱材で形成し、蓋体７４と断熱部材６８とを一体に構成するようにしてもよい。
【００３５】
また、上記実施形態では、尿素水噴射ノズル４０に設けたフランジ部４０ｂを介し、整流体６０に溶接された取付座６２に尿素水噴射ノズル４０を取り付けるようにしたが、尿素水噴射ノズル４０の取付方法は、これに限定されるものではない。
例えば、整流体６０を周壁部５６まで延設せず、周壁部５６に形成した孔に取付座を設け、この取付座に尿素水噴射ノズル４０を取り付けるようにしてもよい。この場合、取付座に固定されているフランジ部４０ｂを覆うように断熱部材を装着すれば、フランジ部４０ｂからの放熱を抑えて尿素水噴射ノズル４０の温度低下を抑制することができる。
【００３６】
或いは、整流体６０の端部６０ａ及び取付座６２の取付部分を上記実施形態と同様に構成すると共に、整流体６０において排気が通過する孔が形成されている部分を省略し、フィルタ３８を通過した排気が直接排気流出口５８から流出するようにしてもよい。
また、上記実施形態では、第３ケーシング３０ｃの側壁部５６から排気流出口５８を介して排気の流出を行うようにして、排気流出口５８に対向するように尿素水噴射ノズル４０を第３ケーシング３０ｃに装着するようにしたが、排気後処理装置２８の構成及び尿素水噴射ノズル４０の装着位置は、これに限定されるものではない。
【００３７】
例えば、上流側ケーシング３０と下流側ケーシング３４とを直線的に配置した上で連通路３４により連通させ、この連通路３４に尿素水噴射ノズル４０を装着するようにしてもよい。この場合、例えば連通路３４の壁面に形成した孔に上記実施形態と同様の取付座を設け、この取付座に尿素水噴射ノズル４０を取り付けるようにすればよい。そして、取付座に固定されている尿素水噴射ノズル４０のフランジ部４０ｂを覆うように断熱部材を装着すれば、フランジ部４０ｂからの放熱を抑えて尿素水噴射ノズル４０の温度低下を抑制することができる。
【００３８】
或いは、上記実施形態のような連通路３２を用いず、第３ケーシング３０ｃに下流側ケーシング３４を並設し、排気流出口５８を直接下流側ケーシング３４に連通させるようにしてもよいし、第３ケーシング３０ｃの下流側に直接下流側ケーシング３４を直線的に接続してもよい。これらの場合においても、上記実施形態と同様に尿素水噴射ノズルを第３ケーシング３０ｃに装着することが可能であり、上記実施形態と同様の効果を得ることが可能である。
【００３９】
また、上記実施形態では、上流側ケーシング３０内に前段酸化触媒３６とフィルタ３８を収容すると共に、下流側ケーシング３４内にＳＣＲ触媒４６と後段酸化触媒４８を収容して排気後処理装置２８を構成するようにしたが、排気後処理装置２８の構成はこれに限定されるものではなく、ＳＣＲ触媒４６と尿素水噴射ノズル４０とを備えた排気後処理装置であれば、本発明を適用することが可能である。
【００４０】
更に、上記実施形態では、エンジン１を４気筒のディーゼルエンジンとしたが、エンジン１の気筒数及び形式は、これに限定されるものではない。
【図面の簡単な説明】
【００４１】
【図１】本発明の一実施形態に係る排気浄化装置が適用されたエンジンの全体構成図である。
【図２】図１中のII−II線に沿う要部断面図である。
【符号の説明】
【００４２】
１  エンジン
３０  上流側ケーシング（排気通路）
３０ｃ  第３ケーシング（排気通路）
４０  尿素水噴射ノズル
４０ａ  ノズル本体
４０ｂ  フランジ部
４６  ＳＣＲ触媒（アンモニア選択還元型ＮＯｘ触媒）
６８  断熱部材
【図１】
0005020028.tif 000002
【図２】
0005020028.tif 000003